(57)【要約】【課題】本発明は、良好な作業効率を得ることができ、ヒルマークや部分的な汚れも落とすことができると同時に、細かい部位も洗浄できる優れた操作性が得られ、しかも、階段等の移動も容易に行うことができる床洗浄機の提供を目的とする。【解決手段】床面Ｆを洗浄する床洗浄体９を備えた円柱形のポリッシャー部２と、床の洗浄時に発生する汚水を吸引するウェットバキューム機３を一体的に備えた床洗浄機１において、上記床洗浄機１は、ポリッシャー部２に取り付けられた載置台８と、載置台８によって支持されたウェットバキューム機３と、ポリッシャー部２の周囲に取り付けられる略弧状のスクイジー４と、ポリッシャー部２及びウェットバキューム機３を操作するハンドル５を備え、上記ハンドル５は、載置台８の左右に設けられるハンドル基部５１とハンドル基部５１の上方に取り付けられるスイッチ部５２より成り、ハンドル基部５１には、床洗浄機１の左右に位置する車輪６，７が配設されていることを特徴としている。【選択図】　　図１
2004008530.tif 000002
【特許請求の範囲】
【請求項１】
床面Ｆを洗浄する床洗浄体９を備えた円柱形のポリッシャー部２と、床の洗浄時に発生する汚水を吸引するウェットバキューム機３を一体的に備えた床洗浄機１において、
上記床洗浄機１は、ポリッシャー部２に取り付けられた載置台８と、上記載置台８によって支持されたウェットバキューム機３と、上記ポリッシャー部２の周囲に取り付けられると共に、上記ウェットバキューム機３に連接され、床の洗浄時に発生する汚水を吸収するスクイジー４と、上記載置台８を介して上記ポリッシャー部２に接続されると共に、上記ポリッシャー部２及びウェットバキューム機３を操作するハンドル５を備え、上記スクイジー４は、上記ポリッシャー部２の周囲に沿う略弧状に形成され、下端に吸引空間を有した一対の吸い口ゴム４２を有し、上記ハンドル５は、上記載置台８の左右に設けられるハンドル基部５１とハンドル基部５１の上方に取り付けられるスイッチ部５２より成り、上記ハンドル基部５１には、床洗浄機１の左右に位置する車輪６，７が配設されていることを特徴とする床洗浄機。
【請求項２】
上記スクイジー４は、上記ポリッシャー部２に対して着脱可能に構成されていることを特徴とする請求項１記載の床洗浄機。
【請求項３】
上記スクイジー４は、上記スクイジー４の床面Ｆに対する接地圧を一定に保つために、上記スクイジー４の外側側面に複数の支持ローラー４４を備えると共に、上記スクイジー４と壁面Ｗとの衝突を防止するための複数の衝撃吸収ローラー４５を備えていることを特徴とする請求項１又は請求項２記載の床洗浄機。
【請求項４】
上記床洗浄機１は、ハンドル５を格納した状態で床洗浄機１を移動するための車輪６，７を、床洗浄機１の左右両側部に備え、上記左右の車輪６，７は、階段Ｓにおける各段の高さ以上の半径を有すると共に、各々独立して上下にスライド可能に構成されていることを特徴とする請求項１，請求項２，請求項３の何れかに記載の床洗浄機。
【発明の詳細な説明】
【０００１】
【発明の属する技術分野】
本発明は、床洗浄機に係り、さらに詳しくは、ビル、事務所、トイレ等の床を洗浄すると同時に、床を洗浄する際に生じる汚水を吸収することができる床洗浄機に関する。
【０００２】
【従来の技術】
周知の通り、ビル、事務所、トイレ等の床の洗浄には、従来からポリッシャーが広く用いられており、上記ポリッシャーは、ポリッシャーに取り付けられた回転ブラシ又はパッド等の床洗浄体に液体洗剤を供給しながら床をブラッシング洗浄するものであり、床を洗浄する際に生じる汚水は、ポリッシャーとは別体のバキューム機によって吸収しているものである。
【０００３】
そして、上記ポリッシャーの一般的な例を示しているのが図１５，図１６であり、上記ポリッシャー１０１は、回転ブラシ又はパッド等の床洗浄体１０３を備えたポリッシャー部１０２と、上記床洗浄体１０３に液体洗剤を供給する洗剤タンク１０４を備え、さらに、ポリッシャー１０１の操作を行うためのスイッチ部１０７やグリップ１０８、レバー１０９等が設けられたハンドル１０５及びポリッシャー１０１の移動や運搬を行うための車輪１０６を備えて成るものである。
【０００４】
そして、上記ポリッシャー１０１は、図１６の鎖線部で示したように、ハンドル１０５を倒した状態で使用され、ポリッシャー部１０２を前後や左右に動かすことで床の洗浄を行うものであり、通常は、ポリッシャー１０１を引く（図中右方向へ移動させる）ようにして床の洗浄を行い、また、ヒルマーク（靴の跡）や部分的な汚れについては、ポリッシャー部１０２を右や左の傾け、ポリッシャー部１０２の重量（圧力）を利用して一箇所を集中的にブラッシング等をすることで、その洗浄を行っている。
【０００５】
ところで、上記ポリッシャーを使用して床の洗浄を行う場合、床を洗浄した際に生じる汚水を吸収するために、ポリッシャーとは別にバキューム機が必要となり、そのため、床の洗浄作業における作業効率が良くなく、また、機材の運搬も大変であり、特に、ポリッシャーは、小さな車輪によって移動を行うように構成されているため、階段を移動する場合には、ポリッシャー全体を持ち上げなければならず、非常に重くて大変な作業であると同時に危険でもあった。
【０００６】
そこで、上記不具合を解消するために、図１７に示したような、ポリッシャーとバキューム機を一体的に備えた自動床洗浄機１１１が使用されるようになり、このポリッシャーとバキューム機を一体的に備えた自動床洗浄機１１１は、回転ブラシ又はパッド等の床洗浄体１１３を有するポリッシャー部１１２と、洗剤タンク及びバキューム機を内蔵すると共に、ハンドル１１６やスイッチ部１１７が設けられた本体部１１４と、本体部１１４に内蔵されたバキューム機に接続され、汚水の吸収を行うスクイジー１１５を備えて成り、床の洗浄と汚水の吸収を同時に行えるように構成されている。
【０００７】
そして、上記自動床洗浄機１１１におけるスクイジー１１５は、自動床洗浄機１１１の進行方向（図中矢印Ｍ）におけるポリッシャー部１１２の後方に所定の距離をおいて配設されていると共に、自動床洗浄機１１１の進行方向Ｆに直交する直線型に形成されているものであって、床を洗浄した際に生じる汚水を、ポリッシャー部１１２の後方にて吸収するものである。
【０００８】
【発明が解決しようとする課題】
上記従来の技術によると、ポリッシャー部とバキューム機を一体的に備えた自動床洗浄機によって、床の洗浄を行う際における床の洗浄と汚水の吸収が同時に行うことができ、作業効率の向上を図ることができるものであるが、上記自動床洗浄機は、自動床洗浄機の進行方向におけるポリッシャー部の後方にスクイジーを配したものであるため、床の洗浄と汚水の吸収を確実に行うためには、ポリッシャー部を前にしてその後方にスクイジーが位置するように、自動床洗浄機の進行方向を順守して床の洗浄を行う必要があり、その結果、床洗浄機による床の洗浄方向が制限されることとなり、床の洗浄の自由度が損なわれ、床洗浄機の操作性が悪化してしまうという不具合が生じているものであった。
【０００９】
さらに、上記スクイジーは、自動床洗浄機の進行方向に直交する直線型に形成されているため、ポリッシャー部を右や左に傾けて使用することができず、そのため、ヒルマークや部分的な汚れを落としにくく、また、上記自動床洗浄機は、ポリッシャー部とバキューム機に接続されるスクイジーが所定の距離をおいて配設されているので、洗浄機の大型化を避けられず、机の下や床の隅等といった細かい部位の洗浄ができないと同時に、階段等の移動が困難になってしまうという不具合が生じているものであった。
【００１０】
よって、本発明は、上記の事情を考慮して、ポリッシャー部とバキューム機を一体的に備え、良好な作業効率を得ることができ、さらに、ヒルマークや部分的な汚れも落とすことができると同時に、細かい部位も洗浄できる優れた操作性が得られ、しかも、階段等の移動も容易に行うことができる床洗浄機の提供を目的とする。
【００１１】
【課題を解決する為の手段】
上記目的を達成する為に本発明は次の技術的手段を有する。即ち、請求項１の発明は、床面Ｆを洗浄する床洗浄体９を備えた円柱形のポリッシャー部２と、床の洗浄時に発生する汚水を吸引するウェットバキューム機３を一体的に備えた床洗浄機１において、
上記床洗浄機１は、ポリッシャー部２に取り付けられた載置台８と、上記載置台８によって支持されたウェットバキューム機３と、上記ポリッシャー部２の周囲に取り付けられると共に、上記ウェットバキューム機３に連接され、床の洗浄時に発生する汚水を吸収するスクイジー４と、上記載置台８を介して上記ポリッシャー部２に接続されると共に、上記ポリッシャー部２及びウェットバキューム機３を操作するハンドル５を備え、上記スクイジー４は、上記ポリッシャー部２の周囲に沿う略弧状に形成され、下端に吸引空間を有した一対の吸い口ゴム４２を有し、上記ハンドル５は、上記載置台８の左右に設けられるハンドル基部５１とハンドル基部５１の上方に取り付けられるスイッチ部５２より成り、上記ハンドル基部５１には、床洗浄機１の左右に位置する車輪６，７が配設されていることを特徴とする床洗浄機である。
【００１２】
さらに、請求項２の発明は、上記スクイジー４が、上記ポリッシャー部２に対して着脱可能に構成されていることを特徴としている。
【００１３】
さらに、請求項３の発明は、上記スクイジー４が、上記スクイジー４の床面Ｆに対する接地圧を一定に保つために、上記スクイジー４の外側側面に複数の支持ローラー４４を備えると共に、上記スクイジー４と壁面Ｗとの衝突を防止するための複数の衝撃吸収ローラー４５を備えていることを特徴としている。
【００１４】
さらに、請求項４の発明は、上記床洗浄機１が、ハンドル５を格納した状態で床洗浄機１を移動するための車輪６，７を、床洗浄機１の左右両側部に備え、上記左右の車輪６，７が、階段Ｓにおける各段の高さ以上の半径を有すると共に、各々独立して上下にスライド可能に構成されていることを特徴としている。
【００１５】
本発明は、上記技術的手段より成り、上述した請求項１の発明によれば、ポリッシャー部２とバキューム機３を一体的に備え、良好な作業効率を得ることができ、さらに、ポリッシャー部２の周囲に取り付けられるスクイジー４が、ポリッシャー部２の周囲に沿う略弧状になされているので、ポリッシャー部２を傾けて使用することが可能となり、ヒルマークや部分的な汚れも落とすことができ、加えて、スクイジー４が取り付けられているポリッシャー部２がコンパクトであるので、細かい部位も洗浄できる優れた操作性が得られる。
【００１６】
さらに、請求項２の発明によれば、ポリッシャー部２の周囲に取り付けられるスクイジー４が、ポリッシャー部２に対して着脱可能であるので、スクイジー４を必要としない床（じゅうたん等）の洗浄や床の状態に応じて床洗浄機１の機能を適宜選択することができ、さらに、床洗浄機１の非使用時における収容性の向上を図ることができる。
【００１７】
さらに、請求項３の発明によれば、スクイジー４が、スクイジー４の床面Ｆに対する接地圧を一定に保つために、複数の支持ローラー４４を備えているので、ポリッシャー部２のどのような動きに対してもスクイジー４による汚水の吸収が確実に行われ、加えて、スクイジー４が、スクイジー４と壁面Ｗとの衝突を防止するための複数の衝撃吸収ローラー４５を備えているので、壁面Ｗや机などの備品とスクイジー４とが直接的に接触することが防止され、壁面Ｗや机などの備品及びスクイジー４が傷つくのを防止することができる。
【００１８】
さらに、請求項４の発明によれば、床洗浄機１が、その左右に階段における各段の高さ以上の半径を有する大径の車輪６，７を備えると共に、左右の車輪６，７の各々が独立して上下にスライドするように構成されているので、ハンドル５を格納した状態で床洗浄機１を移動する作業、即ち、床の洗浄作業を開始する際や床の洗浄作業を終了する際における床洗浄機１の移動や運搬を容易に行うことができると共に、階段の移動が床洗浄機１を持ち上げることなく行うことができる。
【００１９】
【発明の実施の形態】
以下、本発明の実施の形態を添付図面に基づき詳細に説明する。
図１は本発明の床洗浄機１の斜視図、図２は本発明の床洗浄機１の側面図、図３は本発明の床洗浄機１の正面図を示しており、本発明の床洗浄機１は、主に、ポリッシャー部２、ウェットバキューム機３、スクイジー４、ハンドル５、左右の車輪６，７、載置台８からなる。
【００２０】
ポリッシャー部２は、電動機（図示せず）によって回転させられる回転ブラシ又はパッド等より成る床洗浄体９を備えると共に、ポリッシャー部２の上部にポリッシャー部２の電動機を包むようにして、液体洗剤を収容する洗剤タンク１０が取り付けられており、洗剤タンク１０の上面には、液体洗剤を洗剤タンク１０内に注入するための洗剤注入口１５が形成され、その側面部には洗剤の出し止めを行う洗剤バルブ（図示せず）が取り付けられている。
【００２１】
ウェットバキューム機３は、吸水タンク１２及び吸水タンク１２上に取り付けられた作動室１１からなり、作動室１１の前方に吸水ホース１４が接続されていると共に、作動室１１の上方に取手１３が設けられ、上記ポリッシャー部２に対して取り付けられる載置台８上に載置された状態で支持されている。さらに、本実施の形態では、ウェットバキューム機３における下半分が円柱状で、上半分が略円筒状に形成されている場合を示している。
【００２２】
スクイジー４は、図４，図５に示したように、ポリッシャー部２の周囲に取り付けられ、円柱状のポリッシャー部２の周囲に沿う略弧状（又は環状）に形成されているものであり、略弧状に形成されたスクイジー４には、吸水口４１が設けられ（本実施の形態では、スクイジー４の操作者と反対側の位置に吸水口４１が設けられている）、上記吸水口４１の中は吸水通路となっていると共に、上記吸水口４１は、上記ウェットバキューム機３の作動室１１に接続された吸水ホース１４と接続される。
【００２３】
さらに、スクイジー４は、ポリッシャー部２に対して着脱可能に取り付けられており、スクイジー４の周囲には、スクイジー４とポリッシャー部２とを接続するための蝶番式の取り付け金具４３が複数（本実施の形態では４箇所）設けられている。
【００２４】
上記蝶番式の取り付け金具４３は、スクイジー４に取り付けピン７５を介して固定されるＬ字状の固定部７１と、固定部７１に蝶番軸７３を介して取り付けられている可動部７２より成り、上記可動部７２には、ポリッシャー部２に形成された取り付け穴５０に差し込むことができる突起部７４が形成されている。
【００２５】
そして、スクイジー４の下部には、下端部に吸引空間を有する一対の吸い口ゴム４２が設けられており、さらに、スクイジー４の周囲には、スクイジー４の略弧状の円周全体の床面Ｆに対する接地圧（吸い口ゴム４２の床面Ｆに対する接地圧）を一定に保つため、スクイジー４の外周に沿って複数（本実施の形態では４箇所）の支持ローラー４４が取り付けられている。
【００２６】
さらに、上記支持ローラー４４は、スクイジー４の外周から延出するようにして設けられたローラー取り付け金具４６に対して脚部４７を介して回動自在に取り付けられているものであり、ポリッシャー部２及びスクイジー４を自由な方向に動かすことができるように構成されている。
【００２７】
加えて、上記支持ローラー４４をスクイジー４の周囲に取り付けるためのローラー取り付け金具４６には、軸状部材４８が配設されており、この軸状部材４８を軸として回転する衝撃吸収用弾性材でできた衝撃吸収ローラー４５が設けられている。
【００２８】
また、上記スクイジー４をポリッシャー部２の周囲に取り付ける際に、スクイジー４とポリッシャー部２との間にクッションゴム４９を配設することも考慮され、ポリッシャー部２の周囲に対するスクイジー４の取り付け性の向上を図ることができると共に、ポリッシャー部２を傾けて使用する際におけるスクイジー４のポリッシャー部２に対する追従性を高めることができる。
【００２９】
ハンドル５は、ポリッシャー部２、スクイジー４が接続されたウェットバキューム機３を操作するためのものであり、ハンドル基部５１及びスイッチ部５２を備え、上記ハンドル基部５１は、ポリッシャー部２に取り付けられた載置台８の左右に設けられたハンドル支持軸５３によって支持されており、スイッチ部５２側には、載置台の左右に位置するハンドル基部５１間を接続するハンドル接続部６０が設けられている。
【００３０】
尚、上述したように、ハンドル基部５１は、ポリッシャー部２に取り付けられた載置台８の左右に各々配設されているものであるが、この左右のハンドル基部５１は、互いに対称な形状をしているので、以下の説明では、一方（主に左側）のハンドル基部５１を中心にして説明を行う。また、左右の車輪６，７を支持するための左右の支持部材１６，１７についても、互いに対称な形状であるので、ハンドル基部５１の場合と同様に扱う。
【００３１】
そして、ハンドル５のハンドル基部５１は、図６、図７、図８に示されているように、長方形の筒状になっていて、上部から左右の車輪６，７を支持する車輪軸２０を下端に備えた棒状体より成る左右の車輪支持部材１６，１７がスライド可能に入り込んで取り付けられるように構成されており、上記左右の車輪支持部材１６，１７には、Ｓ字を連ねたような複数の溝より成る係合溝１８が連続して設けられていて、この係合溝１８と対面するハンドル基部５１には、上下に２箇所（左右のハンドル基部５１を合わせると４箇所）、止め金具２２，２３が取り付けられている。
【００３２】
さらに、上下の止め金具２２，２３の先端には、Ｓ字を連ねたような溝より成る係合溝１８に対応する係合凸部３１が設けられていて、ハンドル５のハンドル基部５１に形成された穴部６９（図８に示す左右の車輪支持部材１６，１７が実線で見える部分及び図示はされていないがハンドル基部５１の上方にも同様に設けられている）を貫通して、上下の止め金具２２，２３の係合凸部３１が左右の車輪支持部材１６，１７の係合溝１８に接合される。
【００３３】
そして、ハンドル基部５１に設けられた上下の止め金具２２，２３操作は、図９、図１０に示されるように、車輪位置決め機構２１によって行われるものであり、車輪位置決め機構２１は、載置台８に取り付けられた左右２本の支持パイプ２７によって支持されるペダル支持軸２６に取り付けられたペダル２５と、ペダル支持軸２６の左右両先端に形成され、ペダル支持軸２６に対して直角に取り付けられていて且つ床面とほぼ３０°の角度をつけて上方に傾いて作られている回動アーム２８を備えている。
【００３４】
さらに、上記ペダル支持軸２６の左右両先端に形成された回動アーム２８の先端には、ワイヤー保持穴３０が形成されており、上記ワイヤー保持穴３０には、ワイヤー２４が差し込まれていて、抜け防止玉２９がワイヤー２４に固着されている。尚、上記ペダル支持軸２６の左右両先端に形成された回動アーム２８のワイヤー保持穴３０とワイヤー２４とは固定されていない。
【００３５】
また、上記上下の止め金具２２，２３の各々は、回動軸３３によって回動可能に軸支されていると共に、回動レバー３２を介してその操作が行われるものであり、上記回動レバー３２の端部に形成されたワイヤー固定部３４には、上記ペダル支持軸２６の左右両先端に形成された回動アーム２８のワイヤー保持穴３０に保持されたワイヤー２４が連結されており、加えて、上記上下の止め金具２２，２３の各々の下方には、ワイヤー支持部３５が配設されており、ワイヤー２４の弛みを防止している。
【００３６】
さらに、左右の車輪支持部材１６，１７の先端には、半円形をしたストッパー１９が形成されていると共に、ハンドル５のハンドル基部５１には、上記ストッパー１９が当接するストッパー受け６８が左右同じ高さに形成されていて、左右の車輪６，７が下方にスライドすると、ハンドル５のハンドル基部５１のストッパー受け６８に左右の車輪支持部材１６，１７のストッパー１９が接触して止まり、左右の車輪６，７が一番下までスライドしたところで止まるように構成されている（図８参照）。
【００３７】
そして、上記左右の車輪６，７は、階段Ｓにおける各段の高さ以上（同等又はそれより大きい）の半径を有する大径の車輪より成り、階段Ｓの乗り越えが容易となるように構成されている。
【００３８】
次に、図１１、図１２を参照する。載置台８には、ハンドル５のハンドル基部５１に並行してノコギリ状の係合溝６５を設けたハンドル固定金具６２が左右に取り付けられていると共に、ハンドル５のハンドル基部５１の内側には、ハンドル固定バー６１を保持するためのガイド部材６３が左右に取り付けられており、ハンドル固定バー６１の下端部６４には、上記ハンドル固定金具６２に設けられたノコギリ状の係合溝６５に係合するＷ型の係合凸部６６が形成されているものであり、これらによって、ハンドル位置決め機構５４が構成されている。
【００３９】
このハンドル固定バー６１は、ガイド部材６３によって上下にスライドすることができ、スプリング６７の上部がハンドル固定バー６１に取り付けられていると同時に、スプリング６７の下部がハンドル固定バー６１を保持するためのガイド部材６３の左右に取り付けられているものであり、ハンドル固定バー６１の下端部６４に形成された係合凸部６６が、常にハンドル固定金具６２の係合溝６５に向かって付勢されるように構成されている。
【００４０】
図１に示されるように、ハンドル５の頂部には、スイッチ部５２が設けられている。スイッチ部５２の両サイドには、各々グリップ５５、左のレバー５６、右のレバー５７が取り付けられていて、スイッチ部５２の横からは、電源コード７０、下からウェットバキューム機操作ケーブル５９が伸びている。ポリッシャー部２の始動、停止は、右のレバー５７で行い、右のレバー５７を握るとスイッチＯＮ、離すとスイッチＯＦＦになる。ウェットバキューム機３の始動、停止は、スイッチ部５２に設けられたスイッチ（図示せず）で行う。
【００４１】
左のレバー５６には、洗剤を出したり止めたりする洗剤バルブ開閉操作ケーブル５８が接続され、ポリッシャー部２の上部に配設された洗剤タンク１０に設けられた洗剤バルブの開閉操作を行えるようになされている。また、ウェットバキューム機操作ケーブル５９は、操作者側の先端部がプラグになっていて、スイッチ部５２に形成されているソケット穴（図示せず）に差し込んで使用するように構成され、ウェットバキューム機３を使用しない場合は、該プラグを抜いて床洗浄機１から外すことができる。
【００４２】
載置台８は、ポリッシャー部２に対して取り付けられており、ウェットバキューム機３を支持するものであって、載置台８の左右、即ち、床洗浄機１の左右には、載置台８の左右に設けられたハンドル基部５１によってスライド可能に支持され、床洗浄機１を使用していない時に床洗浄機１の移動を行うための左右の車輪６，７が位置することとなる。
【００４３】
そして、本発明の床洗浄機１は、上記の如く構成され、洗剤タンク１０から供給される洗剤を用いて床面Ｆを洗浄し、床の洗浄によって生じた汚水をウェットバキューム機３に接続されたスクイジー４から吸収するものであり、床の洗浄と汚水の吸収を同時に行うことができるものである。
【００４４】
次に、上記構成に基づいて本実施の形態の作動を説明する。
床洗浄機１は通常、ハンドル５を立てた状態で収容してあり、載置台８からウェットバキューム機３が外されている場合には、載置台８にウェットバキューム機３を載置すると共に、ウェットバキューム機操作ケーブル５９を床洗浄機１のハンドル５を構成するスイッチ部５２に接続する。また、スクイジー４は、床洗浄機１を構成するポリッシャー部２に対して着脱可能になされているので、スクイジー４がポリッシャー部２から取り外されている場合には、ポリッシャー部２にスクイジー４を取り付ける。
【００４５】
このとき、ポリッシャー部２へのスクイジー４の取り付けは、スクイジー４に取り付けてある複数（本実施の形態では４箇所）の蝶番式の取り付け金具４３の突起部７４をポリッシャー部２の取り付け穴５０に全て差し込むことによって行われ、その後、吸水ホース１４をスクイジー４の吸水口４１に差し込んでからウェットバキューム機３に接続する。
【００４６】
次に、ハンドル５を操作状態に倒す（図１及び図１４参照）。ハンドル５を倒すには、ハンドル５のハンドル基部５１の上部に設けられたハンドル接続部６０を持ってハンドル位置決め機構５４のハンドル固定バー６１を握り、ハンドル固定金具６２に密着して固定されていたハンドル固定バー６１の下端部６４に形成された係合凸部６６をハンドル固定金具６２に形成された係合溝６５から離脱させる。これは、ハンドル固定バー６１を握ることによってハンドル固定バー６１が上方にスライドすることによって実現される。
【００４７】
そして、このことによって、ハンドル５がハンドル支持軸５３を中心にして回動することが可能となるものであり、ハンドル５を固定するときは、操作者が自分に合った所望の位置にハンドル５がくるまでハンドル固定バー６１を握って動かし、ハンドル５が所望の位置になった時にハンドル固定バー６１を離すことによって、ハンドル基部５１の左右に取り付けられたスプリング６７の作用によって、握り離されたハンドル固定バー６１の下端部６４の係合凸部６６が、ハンドル固定金具６２の係合溝６５に係合され、ハンドル５は固定される。
【００４８】
次に、床洗浄機１を操作して実際に作動させる段階について説明する。
ポリッシャー部２を作動させるときは、右のレバー５７を握って作動させる。また、右のレバー５７を離すと作動が止まる。作動させたら両手でグリップ５５を持って洗浄しようとする箇所にポリッシャー部２を当てて洗浄する。その際、左のレバー５６を握ると洗剤バルブ開閉操作ケーブル５８が引っ張られて洗剤バルブが開き洗剤タンク１０内の洗剤がポリッシャー部２へと供給されるものであり、左のレバー５６を離すと洗剤バルブが閉じられ洗剤が止まる。
【００４９】
また、通常の洗剤では落ちにくいヒルマーク（靴の跡）や部分的汚れを落とす場合には、ポリッシャー部２を一定箇所に留まらせてハンドル５を少し横に傾けることによってポリッシャー部２の重量（圧力）を一箇所に集中させるものであり、本発明では、ポリッシャー部２の周囲に密着するようにしてスクイジー４が取り付けられているので、スクイジー４の機能を損なうことなくポリッシャー部２を容易に傾けることができ、ヒルマークや部分的な汚れを容易に落とすことができる。
【００５０】
そして、ポリッシャー部２での床の洗浄と同時に汚水をスクイジー４で吸収させるときは、スイッチ部５２に取り付けたウェットバキューム用スイッチをＯＮにして、ウェットバキューム機３を作動させるものであり、汚水は、ポリッシャー部２の周囲を囲むようにして取り付けられたスクイジー４の床面接地部に取り付けた一対の吸い口ゴム４２の吸水空間に吸収され吸水口４１を介して吸水ホース１４内を通り最終的にウェットバキューム機３に吸収され、吸水タンク１２に貯留される。
【００５１】
さらに、スクイジー４は、ポリッシャー部２の周囲を囲むようにして取り付けられているので、ポリッシャー部２での床の洗浄後、即時に汚水を吸収できて便利であるし、細かいところも洗浄吸収できる。この点、従来の自動床洗浄機が構造上前進しかできなかったことに比べると各段に使い勝手が良い。
【００５２】
また、スクイジー４がポリッシャー部２の周囲に取り付けられ、スクイジー４に形成された吸い口ゴム４２が床面に接地しているので、ポリッシャー部２を使用中でもポリッシャー部２の床洗浄体９の回転力によって発生する汚水の飛散を防止することができる。
【００５３】
さらに、スクイジー４の吸い口ゴム４２と床面Ｆとの接地圧を均一にするために、スクイジー４の周囲に複数（本実施の形態では４箇所）の支持ローラー４４が取り付けられているので、ポリッシャー部２のどのような動きに対しても汚水をきれいに吸引することができる。
【００５４】
また、上記支持ローラー４４を支持しているローラー取り付け金具４６に配設された軸状部材４８を軸として衝撃吸収用弾性材でできた円筒形の衝撃吸収ローラー４５が設けられているため、スクイジー４が壁面Ｗに近づいたときには、先ずこの衝撃吸収ローラー４５が壁面Ｗに接しながら回転することとなり、前記衝撃吸収ローラー４５を構成する衝撃吸収用弾性材がクッションの役目を果たし、壁面Ｗや机などの備品とスクイジー４とが直接的に接触することを防止でき、壁面Ｗや備品及びスクイジー４が傷つくのを防止することができる（図４参照）。
【００５５】
図１４には、床の洗浄中における左右の車輪６，７が示されている。従来のポリッシャーの車輪は、図１６に示されている通り、小さな車輪で且つ固定されているため、事務机の脚に車輪が引っ掛かってしまい、ポリッシャーの操作に難があるものであり、その結果、床の洗浄中における車輪は、ハンドルの付け根に固定されていないほうが操作し易いと言える。そこで、図１４に示されているように、洗浄中の左右の車輪６，７を上の方にスライドして止めておけば、机の脚に引っ掛からないので、ハンドル操作がし易くなる。
【００５６】
次に、左右の車輪６，７における車輪位置決め機構２１の作動について説明する。
図６、図７、図８、図９、図１０に示されているように、載置台８に取り付けられた左右２本の支持パイプ２７によってペダル２５のペダル支持軸２６が収容されている。このペダル支持軸２６の左右の回動アーム２８はペダル支持軸２６に対して直角に取り付けられていて且つ床面とほぼ３０°の角度を付けて上方に傾いて作られている。
【００５７】
このペダル支持軸２６の回動アーム２８のワイヤー保持穴３０にワイヤー２４が差し込まれていて、抜け防止玉２９がワイヤー２４に固着されているが、回動アーム２８のワイヤー保持穴３０とワイヤー２４とは固定されていない。上下の止め金具２２，２３のワイヤー固定部３４は、ワイヤー２４と固着されているものであり、上記ペダル支持軸２６の回動アーム２８のワイヤー保持穴３０と上下の止め金具２２，２３のワイヤー固定部３４とは、ワイヤー２４で連結されている。
【００５８】
そして、車輪６，７をスライドさせるときは、図９、図１０に示されるペダル２５及びペダル支持軸２６は固着されているため、ペダル２５を踏むとペダル支持軸２６の回動アーム２８も連動して下方に動くため、図６に示されるワイヤー２４も下方に引っ張られる。このことによって、上下の止め金具２２，２３の先端に設けられた係合凸部３１が左右の車輪支持部材１６，１７の係合溝１８から離脱されて左右の車輪６，７を上下にスライドさせることができる。
【００５９】
また、踏んでいたペダル２５を離すとペダル２５及び上下の止め金具２２，２３各々の回動軸３３に取り付けられたスプリング（図示せず）の作用によってワイヤー２４は引き上げられて上下の止め金具２２，２３の係合凸部３１が左右の車輪支持部材１６，１７に設けられた係合溝１８に係合し、左右の車輪６，７が固定される。
【００６０】
そして、本発明の床洗浄機１による床の洗浄は、図１４に示したように、左右の車輪６，７をハンドル基部５１の上方にスライドさせた状態にして止めておいた方が作業を行い易いが、床洗浄機１を移動する時は、床洗浄機１全体の重心を考慮すると左右の車輪６，７がなるべく下方に位置したところで固定させて使用すると操作が軽くなり、移動が楽にできる。
【００６１】
そして、図１３は、左右の車輪６，７を一番下までスライドさせて固定し階段Ｓを移動する状況を示し、床洗浄機１を階段で移動するとき、階段に接触し易い箇所は吸水タンク１２のＢ点であるが、左右の車輪６，７が、その半径が階段Ｓの各段の高さ以上（同等又はそれよりも大きく）に設定された大径の車輪であるため、床洗浄機１を階段Ｓの一段上に移動するとＢ点は図中点線のように動いてＢ’点へと移動し、階段Ｓに接触することなく移動を行うことができ、また、逆に、階段Ｓを一段下に移動する場合には、Ｂ’点からＢ点へと移動することとなり、この場合も階段に接触することなく移動を行うことができる。
【００６２】
即ち、ハンドル５のグリップ５５を持って床洗浄機１を上方に引っ張ると、上述したように、左右の車輪６，７が大径の車輪であること、左右の車輪６，７を下方にスライドさせて固定できること、この２つの作用によって階段Ｓの移動も難なく行うことができる。
【００６３】
床洗浄機１を使い終わったら、ハンドル固定バー６１を握ってハンドル固定バー６１の下端部６４の係合凸部６６をハンドル固定金具６２の係合溝６５から離脱させてハンドル５を立てる。ハンドル５の格納位置まで立てたら、ハンドル固定バー６１を離すと、ハンドル固定金具６２の係合溝６５にハンドル固定バー６１の下端部６４の係合凸部６６が密着されハンドル５が固定される。
【００６４】
ハンドル５が固定されたら、ハンドル５のハンドル基部５１の上方にロックされていた左右の車輪６，７を両手で持ち、足でペダル２５を踏んで左右の車輪６，７の支持部材１６，１７における係合溝１８に係合されていた上下の止め金具２２，２３の係合凸部３１を左右の車輪６，７の支持部材１６，１７における係合溝１８から離脱させることによって、左右の車輪６，７が下方にスライド可能となるので、車輪６，７を両手で床面まで下げる。
【００６５】
そして、左右の車輪６，７を一番下段までスライドさせて下がり止まったところでペダル２５から足を外す。このことによって、左右の車輪６，７は、一番下段でロックした状態になる。この状態が床洗浄機１を移動するのに最も楽に難なく移動することができる状態である。
【００６６】
そして、洗い場に移動して床の洗浄作業で汚れた箇所、例えば、床洗浄体９や吸水タンク１２、吸い口ゴム４２等を洗った後、作業車まで移動し、床洗浄機１の作業車への積載を行うものであり、このときには、ハンドル５のグリップ５５を両手で持ってペダル２５を足で踏み、一番下段でロックされていた左右の車輪６，７のロックを解除し、作業車に積載するのに安定した左右の車輪６，７の位置（図１に図示されている）まで左右の車輪６，７をスライドさせたところで、ペダル２５から足を離し、再び左右の車輪６，７を固定する。
【００６７】
左右の車輪６，７が固定されたら吸水ホース１４をウェットバキューム機３及びスクイジー４の吸水口４１から外す。それから、ウェットバキューム機３を載置台８から降ろす。さらに、スクイジー４のポリッシャー部２への蝶番式の取り付け金具４３（全４箇所）の突起部７４をポリッシャー部２の取り付け穴５０から抜いてポリッシャー部２の外周に取り付けられていたスクイジー４を取り外す。
【００６８】
こうして、床洗浄機１から床洗浄機１を構成するウェットバキューム機３、スクイジー４を容易に外すことができるので、床の洗浄作業が終了した後に、床洗浄機１を作業車に積載するときも、床洗浄機１を構成する各機材を別々に積載できて便利である。逆に、床の洗浄作業の開始時に作業車から機材を降ろすときも便利である。
【００６９】
【発明の効果】
以上詳述した如く、本発明によると次の様な効果を奏する。
即ち、本発明の床洗浄機は、ポリッシャー部とウェットバキューム機を一体的に備えているので、床の洗浄作業における作業効率が良くなり、さらに、略弧状に形成されたスクイジーがポリッシャー部の周囲に取り付けられていることによって、床の洗浄後すぐに汚水を吸収できると共に、ポリッシャー部を左右に傾ける場合にスクイジーがその妨げにならないので、ヒルマークや部分的な汚れも落とすことができるという優れた効果を発揮する。
【００７０】
そして、ポリッシャー部で床を洗浄する際に生じる汚水を直ちに吸収することができるので、作業効率がより良くなると同時に、汚水が床面に残らず、床面の汚れが落ちたかどうかを一目瞭然で確認でき、しかも、ポリッシャー部の周囲に取り付けられた略弧状のスクイジーによって、汚水の飛散が防止され、また、従来のような直線状のスクイジーと違い、机の下や部屋の隅等、細かい部位における床の洗浄と汚水の吸収も行うことができる。
【００７１】
さらに、ポリッシャー部に対してスクイジーを着脱可能とすることによって、洗浄しようとする床面の状態に合わせてスクイジーをポリッシャー部にその都度取り付けたり、取り外したりすることができるので、床洗浄機を全ての床に対応させて使用することができ、また、床洗浄機の非使用時における収容性の向上を図ることができる。
【００７２】
さらに、床の洗浄及び汚水の吸収を行っている際に、スクイジーが壁面や備品に近づいた場合には、衝撃吸収ローラーが先に壁面や備品に接触して回転し、壁面や備品とスクイジーとが直接的に接触することが防止されるので、壁面や備品及びスクイジーを傷つけることも無く、また、複数の支持ローラーによってスクイジーの床面に対する接地圧が常に一定に保たれているので、ポリッシャー部のどのような動きにも対応でき、汚水の吸収ムラをなくして安定して確実に汚水を吸収することができる。
【００７３】
さらに、床洗浄機の左右に大径の車輪を取り付けたこと及び車輪を自在にスライドさせて所望の位置で固定できる機能を付与したことによって、床の洗浄中においては、床の洗浄作業をし易くするために、車輪を上方にスライドさせて固定した状態で床洗浄機を操作できるため、机の脚に車輪が引っ掛からず、床洗浄機の操作がし易く、さらに、床洗浄機を移動するときは、車輪を一番下段まで下げた状態で固定して使用することによって、床洗浄機の移動に関して平床はもちろん、階段での移動では、従来、持ち上げなければ移動できず、非常に危険であり重たかったが、車輪の最下段位置での使用によって安全で且つ楽に移動することができる。
【図面の簡単な説明】
【図１】本発明の床洗浄機を示す斜視図である。
【図２】本発明の床洗浄機を示す側面図である。
【図３】本発明の床洗浄機を示す正面図である。
【図４】本発明の床洗浄機におけるスクイジーの構成を示す平面図である。
【図５】図４におけるＡ矢視図である。
【図６】車輪位置決め機構の構成を示す側面図である。
【図７】車輪及び車輪支持部材の構成を示す正面図である。
【図８】車輪が最下部に位置している状態における車輪位置決め機構を示す正面図である。
【図９】載置台を上方から見た平面図である。
【図１０】ペダルとペダル支持軸の先端及びワイヤーの関係を示す側面図である。
【図１１】ハンドル位置決め機構の構成を示す正面図である。
【図１２】ハンドル位置決め機構の構成を示す側面図である。
【図１３】床洗浄機が階段を移動する際の状態を示す側面図である。
【図１４】床洗浄機の使用状態を示す側面図である。
【図１５】従来のポリッシャーを示す正面図である。
【図１６】従来のポリッシャーを示す側面図である。
【図１７】ポリッシャー部とバキューム機を備えた従来の自動床洗浄機を示す斜視図である。
【符号の説明】
１　床洗浄機
２　ポリッシャー部
３　ウェットバキューム機
４　スクイジー
５　ハンドル
６，７　左右の車輪
８　載置台
９　床洗浄体
１０　洗剤タンク
１１　作動室
１２　吸水タンク
１３　取手
１４　吸水ホース
１５　洗剤注入口
１６，１７　左右の車輪支持部材
１８　係合溝
２１　車輪位置決め機構
５４　ハンドル位置決め機構
Ｆ　床面
Ｓ　階段
Ｗ　壁面
【図１】
2004008530.tif 000003
【図２】
2004008530.tif 000004
【図３】
2004008530.tif 000005
【図４】
2004008530.tif 000006
【図５】
2004008530.tif 000007
【図６】
2004008530.tif 000008
【図７】
2004008530.tif 000009
【図８】
2004008530.tif 000010
【図９】
2004008530.tif 000011
【図１０】
2004008530.tif 000012
【図１１】
2004008530.tif 000013
【図１２】
2004008530.tif 000014
【図１３】
2004008530.tif 000015
【図１４】
2004008530.tif 000016
【図１５】
2004008530.tif 000017
【図１６】
2004008530.tif 000018
【図１７】
2004008530.tif 000019